(57)【特許請求の範囲】
【請求項１】
会員登録希望者の登録受付を行なう会員受付端末と、
該会員受付端末と相互にデータを送受信可能に接続された、会員の登録処理を行なう管理センタとをそなえ、
該会員受付端末が、
該会員登録希望者所有のカードを受け付け、該カードの口座情報を該カードから読み取る手段と、
該手段が読み取った該カードの口座情報と、該会員登録希望者の所望する金額とを該管理センタに通知して、該管理センタに対して前記所望の金額についての該カードを用いた決済の指示を行なう手段とをそなえ、
該管理センタが、
該会員受付端末から前記決済の指示を受けると、該カードの口座情報に基づいて該カードの口座をもつ銀行に対して、通信ネットワークを介して前記所望の金額の振替依頼を行ない、該銀行からの正常振替応答を該通信ネットワークを介して受けると、該会員登録希望者の会員番号，暗証番号および仮想的な口座の口座番号を発行して、該会員番号および該暗証番号を該会員受付端末に返信する会員登録処理部と、
該会員登録処理部によって発行された該会員番号，該暗証番号および前記仮想的な口座の口座番号、並びに、前記所望の金額を対応付けて保存する所定の記憶領域とをそなえるとともに、
該会員受付端末が、該管理センタの該会員登録処理部から返信された該会員番号および該暗証番号を該会員登録希望者に通知する手段をさらにそなえて構成されていることを特徴とする、会員登録システム。
【請求項２】
会員登録希望者の登録受付を行なう会員受付端末と、
該会員受付端末と相互にデータを送受信可能に接続された、会員の登録処理を行なう管理センタと、
該管理センタと第１の通信ネットワークを介して接続される会員端末とをそなえ、
該会員受付端末が、
該会員登録希望者所有のカードを受け付け、該カードの口座情報を該カードから読み取る手段と、
該手段が読み取った該カードの口座情報と、該会員登録希望者の所望する金額とを該管理センタに通知して、該管理センタに対して前記所望の金額についての該カードを用いた決済の指示を行なう手段とをそなえ、
該管理センタが、
該会員受付端末から前記決済の指示を受けると、該カードの口座情報に基づいて該カードの口座をもつ銀行に対して、第２の通信ネットワークを介して前記所望の金額の振替依頼を行ない、該銀行からの正常振替応答を該第２の通信ネットワークを介して受けると、該会員登録希望者の会員番号，暗証番号および仮想的な投票券購入口座の口座番号を発行して、該会員番号および該暗証番号を該会員受付端末に返信する会員登録処理部と、
該会員登録処理部によって発行された該会員番号，該暗証番号，および前記仮想的な投票券購入口座の口座番号、並びに、前記所望の金額を対応付けて保存する所定の記憶領域とをそなえ、
該会員受付端末が、該管理センタの該会員登録処理部から返信された該会員番号および該暗証番号を該会員登録希望者に通知する手段をさらにそなえるとともに、
該管理センタが、該会員によって該会員端末から該第１の通信ネットワークを介して入力される該会員番号および該暗証番号に基づいて、該所定の記憶領域に登録された該会員についての該仮想的な投票券購入口座における残高の範囲内で、該会員によって該会員端末から該第１の通信ネットワークを介して入力された投票依頼を受け付け、該会員の投票受付処理を行なう投票受付処理部をさらにそなえて構成されていることを特徴とする、投票システム。
【請求項３】
該管理センタの該会員登録処理部が、該会員の該カードの口座情報を、該所定の記憶領域に該会員番号に対応付けて登録することにより、該カードの該口座を会員口座として管理し、
該管理センタの該投票受付処理部が、該会員の行なった投票の結果、払戻金が生じると、その払戻金を該所定の記憶領域に登録された該カードの口座情報に基づいて該会員口座に振り込むことを特徴とする、請求項２記載の投票システム。
【請求項４】
該管理センタの該会員登録処理部が、該会員の該カードの口座情報を該所定の記憶領域に該会員番号に対応付けて登録することにより、該カードの該口座を会員口座として管理し、
該管理センタの該投票受付処理部が、該仮想的な投票券購入口座の作成後もしくは該仮想的な投票券購入口座への入金後に所定期間を経過すると、該仮想的な投票券購入口座における残金を該所定の記憶領域に登録された該カードの該口座情報に基づいて該会員口座に振り込むことを特徴とする、請求項２または請求項３に記載の投票システム。
【発明の詳細な説明】
【０００１】
【発明の属する技術分野】
本発明は、例えば競馬，競輪，競艇，オートレース等の公営競技の投票券（勝ち馬投票券，車券，舟券等）をキャッシュレスで購入して投票を行なうことのできる、電話投票会員や在宅投票会員（パソコン投票会員）等の会員になるための会員登録システムに関するとともに、前記公営競技においてで投票券をキャッシュレスで購入して投票を行なう投票システムに関する。
【０００２】
【従来の技術】
一般に、キャッシュレスで（即ち現金を持ち歩くことなく）公営競技の投票券を購入して投票を行なうには、電話投票会員や在宅投票会員（パソコン投票会員）等になる必要がある。
電話投票会員や在宅投票会員等になるためには、加入希望者は、競馬，競輪，競艇，オートレース等の各種公営競技の管理センタに応募し、当選した加入希望者は、別途取得した住民票を管理センタに送付するとともに、専用口座を開設する。
【０００３】
このような手続きを終了すると、加入希望者に対して会員番号や暗証番号が発行され、これ以降、加入希望者は、正式な加入者となり、会員番号や暗証番号を使用して、現金を持ち歩くことなく投票券の購入を行なうことが可能になる。
【０００４】
【発明が解決しようとする課題】
しかしながら、上述したように、従来の会員登録手続きに際しては、会員応募，住民票の取得，専用口座の開設等の煩雑な手続きを経て会員番号や暗証番号が発行されてからでなければ、投票券を購入することができない。また、手続きが煩雑なだけでなく、手続きを開始してから実際に投票券の購入が可能になるまでの期間は、３ヶ月をも要している。
【０００５】
このために、応募に当選した加入希望者のうち数十％に及ぶ人が、手続きを行なわず正式な会員にならないため、施行者（公営競技の主催者）にとっては、大きな売上げの取りこぼしとなっていることは明白である。
本発明は、このような課題に鑑み創案されたもので、キャッシュレスで投票券の購入（投票）を行なえる電話投票会員や在宅投票会員等の会員になるための会員登録を、簡素な手続き且つ短期間で行なえるようにして、公営競技等の投票券の売上げ向上に寄与しうる、会員登録システムおよび投票システムを提供することを目的とする。
【０００９】
【課題を解決するための手段】
上記目的を達成するために、本発明の会員登録システム（請求項１）は、会員登録希望者の登録受付を行なう会員受付端末と、該会員受付端末と相互にデータを送受信可能に接続された、会員の登録処理を行なう管理センタとをそなえ、該会員受付端末が、該会員登録希望者所有のカードを受け付け、該カードの口座情報を該カードから読み取る手段と、該手段が読み取った該カードの口座情報と、該会員登録希望者の所望する金額とを該管理センタに通知して、該管理センタに対して前記所望の金額についての該カードを用いた決済の指示を行なう手段とをそなえ、該管理センタが、該会員受付端末から前記決済の指示を受けると、該カードの口座情報に基づいて該カードの口座をもつ銀行に対して、通信ネットワークを介して前記所望の金額の振替依頼を行ない、該銀行からの正常振替応答を該通信ネットワークを介して受けると、該会員登録希望者の会員番号，暗証番号および仮想的な口座の口座番号を発行して、該会員番号および該暗証番号を該会員受付端末に返信する会員登録処理部と、該会員登録処理部によって発行された該会員番号，該暗証番号および前記仮想的な口座の口座番号、並びに、前記所望の金額を対応付けて保存する所定の記憶領域とをそなえるとともに、該会員受付端末が、該管理センタの該会員登録処理部から返信された該会員番号および該暗証番号を該会員登録希望者に通知する手段をさらにそなえて構成されていることを特徴としている。
【００１１】
また、投票システム（請求項２）は、会員登録希望者の登録受付を行なう会員受付端末と、該会員受付端末と相互にデータを送受信可能に接続された、会員の登録処理を行なう管理センタと、該管理センタと第１の通信ネットワークを介して接続される会員端末とをそなえ、該会員受付端末が、該会員登録希望者所有のカードを受け付け、該カードの口座情報を該カードから読み取る手段と、該手段が読み取った該カードの口座情報と、該会員登録希望者の所望する金額とを該管理センタに通知して、該管理センタに対して前記所望の金額についての該カードを用いた決済の指示を行なう手段とをそなえ、該管理センタが、該会員受付端末から前記決済の指示を受けると、該カードの口座情報に基づいて該カードの口座をもつ銀行に対して、第２の通信ネットワークを介して前記所望の金額の振替依頼を行ない、該銀行からの正常振替応答を該第２の通信ネットワークを介して受けると、該会員登録希望者の会員番号，暗証番号および仮想的な投票券購入口座の口座番号を発行して、該会員番号および該暗証番号を該会員受付端末に返信する会員登録処理部と、該会員登録処理部によって発行された該会員番号，該暗証番号，および前記仮想的な投票券購入口座の口座番号、並びに、前記所望の金額を対応付けて保存する所定の記憶領域とをそなえ、該会員受付端末が、該管理センタの該会員登録処理部から返信された該会員番号および該暗証番号を該会員登録希望者に通知する手段をさらにそなえるとともに、該管理センタが、該会員によって該会員端末から該第１の通信ネットワークを介して入力される該会員番号および該暗証番号に基づいて、該所定の記憶領域に登録された該会員についての該仮想的な投票券購入口座における残高の範囲内で、該会員によって該会員端末から該第１の通信ネットワークを介して入力された投票依頼を受け付け、該会員の投票受付処理を行なう投票受付処理部をさらにそなえて構成されていることを特徴としている。
【００１２】
このとき、該管理センタの該会員登録処理部が、該会員の該カードの口座情報を、該所定の記憶領域に該会員番号に対応付けて登録することにより、該カードの該口座を会員口座として管理し、該管理センタの該投票受付処理部が、該会員の行なった投票の結果、払戻金が生じると、その払戻金を該所定の記憶領域に登録された該カードの口座情報に基づいて該会員口座に振り込んでもよいし（請求項３）、該管理センタの該会員登録処理部が、該会員の該カードの口座情報を該所定の記憶領域に該会員番号に対応付けて登録することにより、該カードの該口座を会員口座として管理し、該管理センタの該投票受付処理部が、該仮想的な投票券購入口座の作成後もしくは該仮想的な投票券購入口座への入金後に所定期間を経過すると、該仮想的な投票券購入口座における残金を該所定の記憶領域に登録された該カードの該口座情報に基づいて該会員口座に振り込んでもよい（請求項４）。
【００１３】
【発明の実施の形態】
以下、図面を参照して本発明の実施の形態を説明する。
図１は、本発明の一実施形態としての投票システム（会員登録システム）の構成を示すブロック図である。図１に示す本実施形態の投票システム１は、例えば競馬，競輪，競艇，オートレース等の公営競技の投票券（勝ち馬投票券，車券，舟券等）をキャッシュレスで購入して投票を行なうためのものであり、この投票システム１は、投票券をキャッシュレスで購入可能な電話投票会員や在宅投票会員（パソコン投票会員）になるための会員登録システムとしての機能も含んでいる。
【００１４】
図１に示すように、本実施形態の投票システム１は、会員受付所１０，投票受付センタ２０，会員端末３０およびトータリゼータシステム４０をそなえて構成され、さらに、カード発行銀行５０，ＣＡＦＩＳ６０，決済銀行７０，クリアリングセンタ８０および主催者指定銀行９０を接続され、デビットカード１００による決済が可能に構成されている。
【００１５】
なお、デビットカード１００とは、一般に、各種金融機関の発行している磁気方式のキャッシュカードをそのまま使い、買物代金をそのキャッシュカードの預金口座から即時決済できるようにしたカードのことである。
デビットカードサービスにおいては、利用者が、そのデビットカードサービスに加盟している加盟店で買い物をしたりサービスを受けたりした後に精算を行なう際に、その加盟店に設置されたカード端末にデビットカード１００を挿入して暗証番号を入力してその暗証番号の正当性が確認されると、加盟店での利用代金が、利用者の預金口座から即座に引き落とされて決済され、加盟店の指定する口座へ入金されるようになっている。
【００１６】
通常のデビットカード決済では、商品（サービス）と引換えに商品購入者（利用者）の銀行口座から商品代金が引き落とされることにより決済が完了する。本実施形態でも、後述するごとく、商品（サービス）が「投票券購入資金」に該当し、商品代金が銀行口座から引き落とされる通常のデビットカード決済と同じ仕組みが、カード発行銀行５０，ＣＡＦＩＳ６０，決済銀行７０，クリアリングセンタ８０および主催者指定銀行９０により構成されている。ただし、本実施形態では、後述するごとく、投票券購入資金が投票受付センタ２０の投票券購入資金口座２４にストックされる点が異なり、以降、この資金をもとに投票券を購入することが可能になる。
【００１７】
ここで、会員受付所１０は、会員登録希望者に対応するオペレータ（会員受付担当者）が常駐する窓口であり、この会員受付所１０には、オペレータが操作して会員登録希望者の登録受付処理を行なうカード受付機（会員受付端末）１１がそなえられている。
このカード受付機１１は、例えばＰＯＳ（Point Of Sales:販売時点管理）端末であり、会員登録希望者のデビットカード（キャッシュカード）１００を挿入されてそのデビットカード１００の磁気ストライプから口座番号等の情報を読み取る機能を有するとともに、暗証番号入力用のピンパッド（ＰＩＮＰＡＤ）１２を接続されている。なお、オペレータは、後述するごとく、会員登録希望者の年齢を自動車免許証やパスポート等の身分証明書により確認するほか、会員登録希望者が学生であるか否かの確認を行なっている。
【００１８】
そして、カード受付機１１は、図２に示すフローチャート（後述）に従って動作するもので、会員登録希望者（デビットカード利用者，預金者）が所望する金額の決済を、会員登録希望者所有のデビットカード１００により受け付け、投票受付センタ２０に対して、ピンパッド１２から入力された暗証番号とともに所望の金額を通知し、その金額についてのデビットカード決済の指示を行なう。
【００１９】
また、カード受付機１１は、投票受付センタ２０から会員番号および暗証番号を通知された場合には、その会員番号および暗証番号をレシートに印刷して会員登録希望者に通知する機能を有する一方、投票受付センタ２０からＮＧ(No Good)通知を受けた場合には、その旨を表示・通知する機能を有している。なお、デビットカード１００による決済依頼に対してＮＧ回答を受けた場合、その旨は、カード受付機１１の表示等を参照したオペレータにより、会員登録希望者に対して通知されることになる。
【００２０】
投票受付センタ（管理センタ）２０は、会員登録処理部２１，投票受付処理部２２および投票ファイル２３を有して構成されている。
会員登録処理部２１は、図３に示すフローチャート（後述）に従って、カード受付機１１からのデビットカード決済指示（口座番号や暗証番号等の情報を含む）や決済金額通知に応じた会員の登録処理を行なうもので、デビットカード１００の口座（利用者口座）５１をもつカード発行銀行５０に対して、ＣＡＦＩＳ６０を介し、口座５１の預金残高前確認および暗証番号確認の依頼を行なってから前記所望の金額についての振替依頼を行ない、カード発行銀行５０からＣＡＦＩＳ６０を介して正常振替応答を受けると、前記所望の金額を保有する投票券購入資金口座２４を作成するとともに、会員登録希望者を会員として登録し、その会員についての会員番号および暗証番号を発行してカード受付機１１に返信する。
【００２１】
なお、投票券購入資金口座２４は、投票受付センタ２０に仮想的に作成されたものであり、実質的には、決済銀行７０に投票券購入資金口座７１として（もしくは主催者銀行９０に）作成されている。
また、会員登録処理部２１は、会員登録を行なった場合、発行した会員番号および暗証番号を、登録した会員の投票券購入資金口座２４（７１）の口座番号，その口座２４（７１）に保有される資金の額（残高）および登録した会員の会員口座５１の口座番号等とともに投票ファイル２３に登録する。
【００２２】
さらに、会員登録処理部２１は、残高不足や暗証番号不一致であった場合や、カード発行銀行５０から正常振替応答が返って来なかった場合には、カード受付機１１にＮＧ通知を行なうようになっている。
投票受付処理部２２は、図４に示すフローチャート（後述）に従って会員端末３０からの投票依頼に応じた投票受付処理を行なうとともに、図５に示すフローチャート（後述）に従って投票受付後の振替処理をバッチ処理で行なうものである。
【００２３】
つまり、投票受付処理部２２は、登録された会員によって会員端末３０から入力される会員番号および暗証番号に基づいて、その会員についての投票券購入資金口座２４（７１）における残高の範囲内で投票依頼を受け付け、会員の投票受付処理を行なうものである。
また、投票受付処理部２２は、投票受付後、会員の行なった投票の結果、払戻金が生じると、その払戻金を、投票ファイル２３に登録されている情報に基づいて会員口座５１に振り込むように、決済銀行７０に対する振替依頼をバッチ処理で行なうものであり、さらに、投票券購入資金口座２４（７１）の作成後もしくは投票券購入資金口座２４（７１）への入金後に所定期間を経過すると、投票券購入資金口座２４（７１）における残金を会員口座５１に振り込むように、決済銀行７０に対する振替依頼をバッチ処理で行なうものである。
【００２４】
投票ファイル２３には、前述した通り、登録された会員についての各種情報〔会員番号，暗証番号，投票券購入資金口座２４（７１）の口座番号，その口座２４（７１）における資金額（残高），会員口座５１の口座番号等〕が登録・保存されるほか、後述するトータリゼータシステム４０からの情報として得られる払戻金額や、トータリゼータシステム４０へ送られる発売票数も登録・保存される。
【００２５】
会員端末（電話，パソコン）３０は、登録された会員（電話投票会員，在宅投票会員，パソコン投票会員）によって操作され、投票受付センタ２０（投票受付処理部２１）に対する投票依頼を行なうためのもので、公衆電話回線，ＩＳＤＮ回線等の各種通信ネットワークを介して、投票センタ２０と通信可能に接続されている。
【００２６】
トータリゼータシステム４０は、公営競技（競馬，競輪，オートレース，競艇等）を運営するための中核となって、投票券（勝ち馬投票券，車券，舟券等）の発売，払戻，集計を管理・支援するためのものであり、前述したごとく、投票受付センタ２０との間で各種情報（発売票数，払戻金額等）をやり取りしている。
カード発行銀行５０は、前述した通り、デビットカード１００の利用者口座（会員口座）５１をもつ銀行であり、投票受付センタ２０がデビットカード決済に応じた振替依頼をカード発行銀行５０に対して行なう場合、カード発行銀行５０と投票受付センタ２０との間では、ＣＡＦＩＳ６０を介して、デビットカード決済にかかる各種情報がやり取りされるようになっている。
【００２７】
ＣＡＦＩＳ（Credit And Finance Information System：共同利用型ネットワーク）６０は、一般に、主にクレジットカードの利用に伴う加盟店端末からの信用照会，売上管理業務に利用されるものであるが、このＣＡＦＩＳ６０は、デビットカード決済に際しても、前述のごとく加盟店（投票受付センタ２０）と金融機関（カード発行銀行５０）との間のデータのやり取りに利用される。
【００２８】
決済銀行７０は、デビットカード決済を一手に引き受けるものであり、前述した通り、この決済銀行７０に、投票受付センタ２０に仮想的に作成された投票券購入資金口座２４の実体（投票券購入資金口座７１）が存在している。
クリアリングセンタ８０は、デビットカードサービス開始後の、膨大な数の売買に伴う資金の流れを円滑に処理すべく、加盟店（投票受付センタ２０）および金融機関（銀行５０，７０）にかかるデータ（決済情報）を一元的に管理するものである。
【００２９】
主催者指定銀行９０は、主催者口座９１をもつ、公営競技の主催者が指定した銀行であり、会員に対する払戻金は、この銀行９０の主催者口座９１から引き落とされる一方、投票券購入資金口座７１（２４）の資金を用いて投票券を購入した場合の購入金額は、発売金額として銀行７０の投票券購入資金口座７１（２４）から銀行９０の主催者口座９１に入金されるようになっている。
【００３０】
なお、カード受付機１１，投票受付センタ２０，銀行５０，７０，９０，ＣＡＦＩＳ６０，クリアリングセンタ８０の相互間を結ぶオンライン間で伝送される電文（磁気ストライプの内容，暗証番号，決済データ等を含む各種情報）は、暗号化処理されており、高いセキュリティを確保することができるようになっている。
【００３１】
上述のごとく構成された本実施形態の投票システム（会員登録システム）１では、会員登録を完了すると、デビットカード決済により引き落とされた金額が、決済ルートの中間に設置されている中間サーバ（つまり投票受付センタ２０）における、投票券購入資金口座２４（７１）ストックされ、その資金残高に応じて、投票券を購入することが可能になる。また、投票券購入受付終了後、会員の購入した投票券が的中し、購入者（会員）への払戻金がある場合は、その払戻金について、バッチ処理にて会員口座５１への振替処理が行なわれる。さらに、投票券購入受付終了後、投票券購入資金口座２４（７１）の開設後もしくは投票券購入資金口座２４（７１）への入金後に所定期間を経過した場合には、投票券購入資金口座２４（７１）における残金の全額が、バッチ処理にて会員口座５１へ振り替えられる。
【００３２】
ここで、本実施形態の投票システム（会員登録システム）１において、投票券を購入することが可能となるまでの手順およびデビットカード決済手順について、図１を参照しながら簡単に説明する。
利用者（デビットカード利用者，会員登録希望者）は、投票券購入資金を引き落とすため、予め設置されている会員受付所１０にて任意の金額をデビットカード１００で決済する。デビットカード決済はカード受付機（ＰＯＳ端末）１１で行なわれる。このカード受付機１１では、金額の売上とデビットカード決済指示（デビットカード１００の磁気ストライプの読み込みまで）を行なう。カード読み込み後、利用者は、決済金額を確認した上で銀行口座５１の暗証番号を専用の端末（暗証ＰＩＮＰＡＤ１２）にて入力する。この端末１２からの暗証番号は、日本デビットカード推進協議会の定める規格により暗号化された状態でＰＯＳ（カード受付機１１）経由で上位（投票受付センタ２０）へ、購入資金情報とともに通知される〔(1)参照〕。
【００３３】
投票受付センタ２０の会員登録処理部２１では、ＣＡＦＩＳ（Credit And Finance Information System）手順に従って、利用者の口座５１についての預金残高確認を暗証番号確認とともにカード発行銀行５０に対して行なう〔(2)参照〕。
会員登録処理部２１は、残高不足の場合や暗証番号不一致の場合、カード受付機１１に対してＮＧを返す一方、残高が足りており且つ本人確認（暗証番号一致）がなされた場合は、ＣＡＦＩＳ手順に従って利用者の口座５１からの振替依頼をカード発行銀行５０に対して行なう〔(3)参照〕。
【００３４】
これに伴い、カード発行銀行５０は、口座５１からの資金振替を行ない、依頼金額を口座５１から引き落とし〔(4)参照〕、振替済みの電文（正常振替応答）を投票受付センタ２０に返してから〔(5)参照〕、振替結果（振替データ）をクリアリングセンタ８０へ伝送する〔(11)参照〕。そして、クリアリングセンタ８０では、受け取った振替データを集計・相殺し、カード発行銀行５０の手数料を控除した上で、カード発行銀行５０の当日の決済尻を計算し、デビットカード利用金額の銀行間決済尻データ（購入資金）を決済銀行７０へ伝送する〔(12)参照〕。
【００３５】
会員登録処理部２１は、カード発行銀行５０から資金振替の応答を受信し、その応答が正常である場合、投票受付センタ２０内に投票券購入資金口座２４を作成する。同時に、作成した投票券購入資金口座２４を利用して投票券を購入するための会員番号および暗証番号を発行してカード受付機１１に通知する〔(6)参照〕。カード受付機１１では、受信した会員番号および暗証番号をレシートに印刷し、デビットカード利用者（会員登録希望者）へ手渡す。
【００３６】
このとき、デビットカード１００により投票券購入資金の決済が受け付けられてカード発行銀行５０から投票受付センタ２０への正常振替応答が行なわれれば、本人確認（入力された暗証番号と予め届け出された暗証番号との一致チェック）と同時に信用チェックが行なわれたと見なすことができる。
これにより、デビットカード利用者は、電話投票会員もしくは在宅投票会員として登録され、以後、会員受付所１０で発行してもらった会員番号および暗証番号を使用することにより、現金を持ち歩くことなくキャッシュレスで、電話，パソコン等の会員端末３０から投票券の購入（即ち投票）を行なうことが可能になる。
【００３７】
次に、図２〜図５に示すフローチャートに従って、本実施形態の投票システム（会員登録システム）１での処理手順について、より詳細に説明する。
図２は、本実施形態の投票システム１におけるカード受付機１１での投票会員登録手順を説明するためのフローチャートであり、この図２に示すように、カード受付機１１においては、まず、オペレータが、会員登録希望者の年齢を自動車免許証やパスポート等の身分証明書により確認するとともに会員登録希望者が学生であるか否かの確認を行なう（ステップＳ１１）。
【００３８】
その確認を行なった結果、会員登録希望者が所定の年齢に達していない場合や学生である場合（ステップＳ１１のＮＧルート）、会員登録を行なうことなく処理を終了する。
一方、所定の年齢に達しており且つ学生でない場合（ステップＳ１１のＯＫルート）、会員登録希望者のデビットカード（キャッシュカード）１００をカード受付機１１に挿入し、そのデビットカード１００の磁気ストライプから口座番号等の情報を読み取るとともに、会員登録希望者が、決済すべき金額（購入資金）を確認した上で銀行口座５１の暗証番号を暗証ＰＩＮＰＡＤ１２から入力することにより、デビットカード１００による決済を受け付ける（ステップＳ１２）。
【００３９】
そして、カード受付機１１は、投票受付センタ２０（会員登録処理部２１）に対し、購入資金を通知するとともに、デビットカード決済の指示を行なう（ステップＳ１３）。このとき、ピンパッド１２から入力された暗証番号や、デビットカード１００の磁気ストライプから読み取られた口座番号等の情報も投票受付センタ２０（会員登録処理部２１）に通知される。
【００４０】
この後、カード受付機１１は、投票受付センタ２０（会員登録処理部２１）からの回答を待ち（ステップＳ１４）、回答を受けると（ステップＳ１４のＹＥＳルート）、その内容を判断する（ステップＳ１５）。
回答内容が会員番号および暗証番号である場合には、その会員番号および暗証番号をレシートに印刷し、オペレータが、そのレシートを会員登録希望者に手渡して通知する（ステップＳ１６）。
【００４１】
一方、投票受付センタ２０からの回答がＮＧ通知であった場合には、その旨がカード受付機１１で表示・通知されるので、オペレータが、会員登録できなかった旨を、直接、会員登録希望者に対して通知・説明する（ステップＳ１７）。
図３は、本実施形態の投票システム１における投票受付センタ２０（会員登録処理部２１）での会員登録処理手順を説明するためのフローチャートであり、この図３に示すように、会員登録処理部２１においては、カード受付機１１からのデビットカード決済指示を受けると（ステップＳ２１のＹＥＳルート）、その指示に含まれる口座番号や暗証番号等の情報に基づいて、カード発行銀行５０に対し、ＣＡＦＩＳ６０を介して、利用者口座５１の預金残高前確認および暗証番号確認の依頼を行なう（ステップＳ２２）。
【００４２】
その確認処理の結果、利用者口座５１における残高が決済希望金額（購入資金）に満たない場合やピンパッド１２から入力された暗証番号が予め登録されていた暗証番号と一致しなかった場合（ステップＳ２３のＮＯルート）、会員登録処理部２１は、カード受付機１１に対してＮＧ通知を行なう（ステップＳ２９）。
一方、残高が足りており且つ本人確認（暗証番号一致）がなされた場合（ステップＳ２３のＹＥＳルート）、会員登録処理部２１は、ＣＡＦＩＳ６０を介して、決済希望金額（購入資金）をデビットカード決済により利用者口座５１から振り替える旨の依頼（振替依頼）をカード発行銀行５０に対して行なってから（ステップＳ２４）、カード発行銀行５０からの振替応答を待つ（ステップＳ２５）。
【００４３】
カード発行銀行５０からＣＡＦＩＳ６０を介して受けた振替応答が正常であった場合（ステップＳ２５のＹＥＳルート）、投票受付センタ２０内に、購入資金をストックした投票券購入資金口座２４を作成し（ステップＳ２６）、会員登録希望者を会員として登録し、その会員についての会員番号および暗証番号を発行してカード受付機１１に通知する（ステップＳ２７）。
【００４４】
そして、会員登録処理部２１は、会員登録を行なった場合、発行した会員番号および暗証番号を、登録した会員の投票券購入資金口座２４の口座番号，その口座２４に保有される資金の額（残高）および登録した会員の会員口座５１の口座番号等とともに投票ファイル２３に登録する（ステップＳ２８）。
なお、カード発行銀行５０から正常振替応答が返って来なかった場合（ステップＳ２５のＮＯルート）、会員登録処理部２１は、カード受付機１１に対してＮＧ通知を行なう（ステップＳ２９）。
【００４５】
図４は、本実施形態の投票システム１における投票受付センタ２０（投票受付処理部２２）での投票受付処理手順を説明するためのフローチャートであり、この図４に示すように、投票受付処理部２２においては、会員登録処理部２１によって登録された会員（会員端末３０）から投票依頼を受けると（ステップＳ３１のＹＥＳルート）、その投票依頼とともに送付されてくる会員番号および暗証番号を確認する（ステップＳ３２）。
【００４６】
その確認の結果、暗証番号の不一致等により会員本人確認が行なえなかった場合（ステップＳ３３のＮＯルート）、投票受付処理部２２は、会員端末３０に対してＮＧ通知を行なう一方（ステップＳ３６）、会員本人であることが確認された場合（ステップＳ３３のＹＥＳルート）、今回の投票依頼での投票券の購入金額が投票券購入資金口座２４の残高以内であるか否かが確認される（ステップＳ３４）。
【００４７】
購入金額が投票券購入資金口座２４の残高を超えている場合（ステップＳ３４のＮＯルート）、投票受付処理部２２は、会員端末３０に対してＮＧ通知を行なう一方（ステップＳ３６）、購入金額が投票券購入資金口座２４の残高以内である場合（ステップＳ３４のＹＥＳルート）、投票受付処理部２２は、投票受付処理（トータリゼータシステム４０へのアクセス，投票ファイル２３への登録）を行なうとともに、その投票依頼を行なった会員の投票券購入資金口座２４の資金から購入金額を減算する（ステップＳ３５）。
【００４８】
図５は、本実施形態の投票システム１における投票受付センタ２０（投票受付処理部２２）での振替処理手順を説明するためのフローチャートであり、投票受付処理部２２においては、１日の投票受付処理を終了した時点で、バッチ処理により、図５に示すような手順で振替処理が行なわれ、全ての投票券購入資金口座２４に対して（ステップＳ４１でＮＯ判定となるまで）、ステップＳ４２〜Ｓ４５の処理が実行される。
【００４９】
つまり、各投票券購入資金口座２４にかかる情報を投票ファイル２３から読み出し（ステップＳ４２）、その投票券購入資金口座２４の作成後もしくはその投票券購入資金口座２４への入金後に所定期間が経過しているか否かを判定する（ステップＳ４３）。
所定期間が経過していない場合（ステップＳ４３のＮＯルート）、払戻金額およびと購入金額の振替依頼が、投票受付処理部２２から決済銀行７０に対して行なわれる（ステップＳ４４）。
【００５０】
例えば、払戻金額が発生していなければ、購入金額が発売金額として決済銀行７０から主催者指定銀行９０の主催者口座９１へ振り返られる。また、払戻金額が発生していれば、購入金額が発売金額として決済銀行７０から主催者指定銀行９０の主催者口座９１へ振り返られるとともに、払戻金額が、主催者指定銀行９０の主催者口座９１から決済銀行７０を経由してカード発行銀行５０の会員口座５１へ振り返られる。
【００５１】
所定期間が経過している場合（ステップＳ４３のＹＥＳルート）、〔投票券購入資金残高−購入金額＋払戻金額〕および購入金額の振替依頼が、投票受付処理部２２から決済銀行７０に対して行なわれる（ステップＳ４５）。つまり、投票券購入資金口座２４の残高，払戻金額および購入金額を全て含めて清算が行なわれ、投票券購入資金口座２４の残金が利用者口座５１に返還されることになる。
【００５２】
例えば、払戻金額が発生していなければ、購入金額が発売金額として決済銀行７０から主催者指定銀行９０の主催者口座９１へ振り替えられるとともに、投票券購入資金口座２４の残高と購入金額との差額分が決済銀行７０からカード発行銀行５０の会員口座５１へ振り替えられる。
また、払戻金額が発生していれば、購入金額が発売金額として決済銀行７０から主催者指定銀行９０の主催者口座９１へ振り替えられるとともに、購入資金口座２４の残高と払戻金額との合計額から購入金額を差し引いた金額が決済銀行７０からカード発行銀行５０の会員口座５１へ振り返られる。このとき、払戻金額は、主催者指定銀行９０の主催者口座９１から決済銀行７０へ送金される。
【００５３】
なお、会員が投票券購入資金口座２４の資金を全く使用していない場合には、当初、デビットカード決済された購入資金の全額が決済銀行７０からカード発行銀行５０の会員口座５１へ振り替えられて返還されることになる。
このように、本発明の一実施形態としての投票システム（会員登録システム）１では、デビットカード１００により投票券購入資金の決済が受け付けられてカード発行銀行５０から投票受付センタ２０への正常振替応答が行なわれたことで、本人確認（入力された暗証番号と予め届け出された暗証番号との一致チェック）と同時に信用チェックが行なわれたと見なされ、
住民票等を取得することなく、簡素な手続き且つ短期間で電話投票会員や在宅投票会員等の会員の登録が行なわれることになる。
【００５４】
そして、これ以後、会員受付所１０で発行してもらった会員番号および暗証番号を使用することにより、現金を持ち歩くことなくキャッシュレスで、電話，パソコン等の会員端末３０から投票券の購入（即ち公営競技に対する投票）を行なうことが可能になる。
従って、公営競技の投票会員応募に当選した加入希望者が登録手続きを避けるような事態が少なくなり、公営競技等の投票券の売上げ向上に寄与することになる。
【００５５】
また、会員登録時に、投票受付センタ２０において、購入資金をストックする投票券購入資金口座２４が作成・開設され、会員は、投票受付センタ２０に対し、会員番号および暗証番号を用いて投票券購入資金口座２４における残高の範囲内で投票依頼を行なうことにより投票を行なうことになる。
つまり、投票受付センタ２０において、投票券購入資金口座２４に購入資金を予めストック（プール）しておくことにより、その購入資金の範囲内で投票券の購入が行なわれることになるため、会員登録時に専用口座を新たに開設する必要がなくなるほか、会員が投票券を購入する度に、会員口座５１に対する振替依頼を行なう必要がなくなる。
【００５６】
さらに、デビットカード１００を用いて振替を行なう場合、その都度、利用金額の所定割合（例えば２％）を手数料として振替依頼者（ここでは公営競技の主催者）が負担しなければならないが、本実施形態では、１回の振替で、ある程度の金額の購入資金をまとめて投票券購入資金口座２４にストックすることになるので、上述のような手数料を負担する必要がなくなる。
【００５７】
このとき、会員の行なった投票の結果、払戻金が生じた場合、投票受付センタ２０の投票受付処理部２２によりその払戻金が会員口座５１に振り込まれるので、会員は払戻金を受け取るために窓口に出向く必要がなくなり、会員の利便性を高めることができる。
また、投票券購入資金口座２４（７１）の作成後もしくは投票券購入資金口座２４（７１）への入金後に所定期間を経過した場合、投票受付センタ２０の投票受付処理部２２により投票券購入資金口座２４（７１）における残金が会員口座５１に振り込まれるので、投票券の購入に使用しなかった資金が会員口座５１に戻されるので、会員は投票券購入資金口座２４（７１）の残金を返還してもらうために特別な手続きをとる必要がなく、会員の利便性をさらに高めることができる。
【００５８】
なお、本発明は上述した実施形態に限定されるものではなく、本発明の趣旨を逸脱しない範囲で種々変形して実施することができる。
例えば、上述した実施形態では、デビットカード（キャッシュカード）を用いた場合について説明したが、本発明は、これに限定されるものではなく、クレジットカード等であってもよく、会員登録希望者の所望する金額の決済依頼（自分の口座に対する振替依頼）を管理センタ２０に対して行なえるカードであればよい。
【００５９】
また、上述した実施形態では、会員登録を行なうために会員登録希望者（デビットカード利用者）が会員受付所１０に出向く場合について説明しているが、本発明の会員登録方法は、これに限定されるものではなく、口座振替依頼機能を有する携帯端末装置（例えばｉモード等の携帯電話）を用い、会員受付所等に出向くことなく、上述のような会員登録を行なってもよい。この場合、携帯端末装置から管理センタ２０に対して会員登録希望者の所望する金額の決済依頼（自分の口座に対する振替依頼）を行なう。
【００６０】
【発明の効果】
以上詳述したように、本発明によれば、会員登録希望者の所望する金額の決済を受け付け、その会員登録希望者の口座をもつ銀行に対して前記所望の金額の振替依頼を行ない、その銀行からの正常振替応答を受けると、会員登録希望者が会員として登録され、さらに、その会員についての番号が発行されて会員登録希望者に対して通知されるので、所望の金額の決済が受け付けられ銀行から管理センタへ正常振替応答が行なわれれば、本人確認と同時に信用チェックが行なわれたと見なされ、住民票等を取得することなく、会員登録が簡素な手続き且つ短期間で行なわれることになる。
【００６１】
従って、例えば公営競技において電話投票会員や在宅投票会員になるための手続きが容易になるため、会員応募に当選した加入希望者が登録手続きを避けるような事態が少なくなり、公営競技等の投票券の売上げ向上に寄与することになる。
また、本発明の会員登録システム（請求項１）および投票システム（請求項２〜４）によれば、会員受付端末で、会員登録希望者の所望する金額の決済がカードにより受け付けられると、会員受付端末から管理センタに対して所望の金額についてのカード決済の指示が行なわれ、管理センタからカードの口座をもつ銀行に対して所望の金額の振替依頼が行なわれ、管理センタにおいて、銀行からの正常振替応答を受けると、会員登録希望者が会員として登録され、その会員についての会員番号および暗証番号が発行されて会員受付端末に返信され、会員受付端末において、管理センタからの会員番号および暗証番号が会員登録希望者に通知され、会員としての登録が完了される。
【００６２】
つまり、カードにより所望の金額の決済が受け付けられ銀行から管理センタへ正常振替応答が行なわれれば、本人確認と同時に信用チェックが行なわれたと見なされ、住民票等を取得することなく、会員登録が簡素な手続き且つ短期間で行なわれることになる。
従って、例えば公営競技において電話投票会員や在宅投票会員になるための手続きが容易になるため、会員応募に当選した加入希望者が登録手続きを避けるような事態が少なくなり、公営競技等の投票券の売上げ向上に寄与することになる。
【００６３】
また、本発明の投票システム（請求項２〜４）によれば、上述のような作用効果が得られるほか、会員登録時に、管理センタにおいて、所望の金額を保有する投票券購入資金口座が作成され、登録された会員は、管理センタに対し、会員番号および暗証番号を用いて投票券購入資金口座における残高の範囲内で投票依頼を行なうことにより投票を行なうことになる。
【００６４】
つまり、管理センタにおいて、所望の金額の資金を投票券購入資金口座に予めストックしておくことにより、その資金の範囲内で投票券の購入が行なわれることになるため、会員は専用口座を開設する必要がなくなるとともに、会員が投票券を購入する度に、会員口座に対する振替依頼を行なう必要がなくなる。さらに、デビットカードを用いて振替を行なう場合、その都度、利用金額の所定割合を手数料として振替依頼者が負担しなければならないが、本発明では、１回の振替で、ある程度の金額の資金をまとめて投票券購入資金口座にストックすることになるので、上述のような手数料を負担する必要がなくなるという効果もある。
【００６５】
このとき、会員の行なった投票の結果、払戻金が生じた場合、管理センタによりその払戻金を会員口座に振り込むことにより（請求項３）、会員は払戻金を受け取るために窓口に出向く必要がなくなり、会員の利便性を高めることができる。
また、投票券購入資金口座の作成後もしくは投票券購入資金口座への入金後に所定期間を経過した場合、管理センタにより投票券購入資金口座における残金を会員口座に振り込むことにより（請求項４）、投票券の購入に使用しなかった資金が会員口座に戻されるので、会員は投票券購入資金口座の残金を返還してもらうために特別な手続きをとる必要がなく、会員の利便性をさらに高めることができる。
【図面の簡単な説明】
【図１】本発明の一実施形態としての投票システム（会員登録システム）の構成を示すブロック図である。
【図２】本実施形態の投票システム（会員登録システム）におけるカード受付機での投票会員登録手順を説明するためのフローチャートである。
【図３】本実施形態の投票システム（会員登録システム）における投票受付センタでの会員登録処理手順を説明するためのフローチャートである。
【図４】本実施形態の投票システム（会員登録システム）における投票受付センタでの投票受付処理手順を説明するためのフローチャートである。
【図５】本実施形態の投票システム（会員登録システム）における投票受付センタでの振替処理手順を説明するためのフローチャートである。
【符号の説明】
１  投票システム（会員登録システム）
１０  会員受付所
１１  カード受付機（会員登録端末，ＰＯＳ端末）
１２  ピンパッド（ＰＩＮＰＡＤ）
２０  投票受付センタ（管理センタ）
２１  会員登録処理部
２２  投票受付処理部
２３  投票ファイル
２４  投票券購入資金口座
３０  会員端末（電話，パソコン）
４０  トータリゼータシステム
５０  カード発行銀行
５１  利用者口座（会員口座）
６０  ＣＡＦＩＳ（共同利用型ネットワーク）
７０  決済銀行
７１  投票券購入資金口座
８０  クリアリングセンタ
９０  主催者指定銀行
９１  主催者口座
１００  デビットカード（キャッシュカード，カード）
【図１】
0003974735.tif 000002
【図２】
0003974735.tif 000003
【図３】
0003974735.tif 000004
【図４】
0003974735.tif 000005
【図５】
0003974735.tif 000006